(57)【要約】      （修正有）【課題】ブロックの状態に係らず、抜型枠をブロックに安定して連結することができる抜型枠保持用器具を提供する。【解決手段】ブロックに対して抜型枠を連結する器具であって、ブロックに連結される第一連結部１１を備えた第一部材１０と、抜型枠に連結される第二連結部２３を備えた第二部材２０と、第一部材と第二部材とを相対的に回動可能に連結する連結軸３０と、を備え、第二部材は、第一端部が連結軸３０によって第一部材に連結された軸部材２１と、軸部材の軸方向に沿って移動可能かつ軸部材の軸周りに回動可能となるように軸部材に設けられた第二連結部２３を有する移動部材２２と、移動部材の軸部材の軸方向に沿った移動および軸部材の軸周りの回転を固定する固定部材２４と、を有している。【選択図】図１
0003227867.tif 000002
【実用新案登録請求の範囲】
【請求項１】
ブロックに対して抜型枠を連結する器具であって、
ブロックに連結される第一連結部を備えた第一部材と、
抜型枠に連結される第二連結部を備えた第二部材と、
前記第一部材と前記第二部材とを相対的に回動可能に連結する連結軸と、を備えており、
前記第二部材は、
第一端部が前記連結軸によって前記第一部材に連結された軸部材と、
該軸部材の軸方向に沿って移動可能かつ該軸部材の軸周りに回動可能となるように該軸部材に設けられた前記第二連結部を有する移動部材と、
該移動部材の前記軸部材の軸方向に沿った移動および該軸部材の軸周りの回転を固定する固定部材と、を有している
ことを特徴とする抜型枠保持用器具。
【請求項２】
前記第二連結部は、
開口の幅方向が前記連結軸と略平行に設けられた、抜型枠を挿入する溝を有しており、
該溝は、
その深さ方向が、前記軸部材の軸方向に対して非平行となるように形成されている
ことを特徴とする請求項１記載の抜型枠保持用器具。
【考案の詳細な説明】
【技術分野】
【０００１】
本考案は、抜型枠保持用器具に関する。さらに詳しくは、ブロックを積み重ねて土留擁壁を形成する際に抜型枠をブロックに固定するために使用する抜型枠保持用器具に関する。
【背景技術】
【０００２】
山などを切り開いて形成された道路の斜面などでは、斜面の土壌の横圧に抗して斜面が崩壊することを防ぐために擁壁が形成される。かかる擁壁の一つとして、ブロックを積み重ねて形成するものがある。かかる擁壁では、斜面に沿って積み重ねたブロックをコンクリートで連結して形成される。
【０００３】
具体的には、図６（Ａ）に示すように、切り開いた斜面Ｓの前面に施工された基礎コンクリートＣ上に、斜面Ｓに沿って、斜面Ｓと間隔を空けた状態でブロックＢが配置される。ブロックＢが配置されると、ブロックＢと斜面Ｓの前面との間に抜型枠Ｔが配置される（図６（Ｂ））。この抜型枠Ｔは、斜面Ｓとの間およびブロックＢとの間に所定の空間が形成されるように配置される。抜型枠Ｔが配置されると、抜型枠Ｔと斜面Ｓとの間には砕石が供給され、その後、ブロックＢと抜型枠Ｔとの間にはコンクリートが打設される。コンクリートが打設された後、コンクリートが硬化した後（またはコンクリートが硬化する前）に抜型枠Ｔが引き抜かれれば、斜面Ｓの表面にはブロックＢによって第一段の壁ＢＷ１が形成される（図６（Ｃ））。
【０００４】
第一段の壁ＢＷ１が形成されると、第一段の壁ＢＷ１の上に、斜面Ｓと間隔を空けた状態で斜面Ｓに沿ってブロックＢが配置される（図７（Ｄ））。ついで、斜面Ｓとの間およびブロックＢとの間に所定の空間が形成されるように、ブロックＢと斜面Ｓとの間に抜型枠Ｔが配置される（図７（Ｅ））。抜型枠Ｔが配置されると、抜型枠Ｔと斜面Ｓの前面との間には砕石が供給され、その後、ブロックＢと抜型枠Ｔとの間にコンクリートが打設される。そして、コンクリートが硬化した後（またはコンクリートが硬化する前）に抜型枠Ｔが引き抜かれれば、ブロックＢによって第二段の壁ＢＷ２が形成される（図７（Ｆ））。
【０００５】
上記作業を繰り返し、所望の高さまでブロックＢが積み上げられると、擁壁Ｗが形成される（図３参照）。
【０００６】
ここで、抜型枠Ｔは、抜型枠Ｔと斜面Ｓとの間および抜型枠ＴとブロックＢとの間に所定の空間が形成されるように配置されるが、コンクリートが打設されるまでの間は、所定の空間を維持しなければならない。このため、抜型枠ＴとブロックＢとの間に木の棒を設置して両者間の間隔を維持することが行われている。しかし、木の棒を設置して抜型枠Ｔを安定した状態で支えておくためには、木の棒や抜型枠Ｔを作業者が手で保持しなければならず、作業者の負担が大きい。しかも、木の棒等で抜型枠Ｔを支える場合には、抜型枠ＴとブロックＢとの間の距離を一定にすることは難しい。
【０００７】
そこで、抜型枠ＴをブロックＢから所定の距離だけ離した位置で安定して保持しておくための器具が開発されている（例えば、特許文献１、２）。
【０００８】
特許文献１、２の器具では、ブロックＢの角などに連結する部分（第一部分）と、抜型枠Ｔの上端に連結する部分（第二部分）と、を有している。このため、特許文献１、２の器具の各部分をブロックＢの角および抜型枠Ｔの上端にそれぞれ引っ掛ければ、抜型枠ＴをブロックＢから所定の距離だけ離した状態で保持しておくことができる。
【０００９】
しかも、特許文献１、２の器具は、第一部分と第二部分との距離を調整できるようになっている。したがって、特許文献１、２の器具を使用すれば、抜型枠ＴとブロックＢとの距離をある程度自由に調整することもできる。
【００１０】
また、特許文献１、２の器具は、第一部分が設けられた部材（第一部材）と、第二部分が設けられた部材（第二部材）と、を連結して形成されており、第一部材と第二部材とが相互に回動可能に連結されている。したがって、ブロックＢの角の高さと抜型枠Ｔの上端の高さに差があっても、両部分をブロックＢの角および抜型枠Ｔの上端にそれぞれ連結した状態で安定して設置することができる。
【先行技術文献】
【特許文献】
【００１１】
【特許文献１】実公昭５７−０５５８８８号
【特許文献２】特開平４−１１８４２４号公報
【考案の概要】
【考案が解決しようとする課題】
【００１２】
しかし、特許文献１、２の器具は、第一部材と第二部材の回動軸は１本であるので、第一部材と第二部材とは一方向にしか回動できない。このため、ブロックＢの角に第一部分を連結したときに器具が傾いてしまうと、第二部分を抜型枠Ｔの上端にしっかりと連結することができず、抜型枠Ｔを安定して支えることができない可能性がある。
【００１３】
本考案は上記事情に鑑み、ブロックや抜型枠の状態に係らず、抜型枠をブロックに安定して連結することができる抜型枠保持用器具を提供する。
【課題を解決するための手段】
【００１４】
第１考案の抜型枠保持用器具は、ブロックに対して抜型枠を連結する器具であって、ブロックに連結される第一連結部を備えた第一部材と、抜型枠に連結される第二連結部を備えた第二部材と、前記第一部材と前記第二部材とを相対的に回動可能に連結する連結軸と、を備えており、前記第二部材は、第一端部が前記連結軸によって前記第一部材に連結された軸部材と、該軸部材の軸方向に沿って移動可能かつ該軸部材の軸周りに回動可能となるように該軸部材に設けられた前記第二連結部を有する移動部材と、該移動部材の前記軸部材の軸方向に沿った移動および該軸部材の軸周りの回転を固定する固定部材と、を有していることを特徴とする。
第２考案の抜型枠保持用器具は、第１考案において、前記第二連結部は、開口の幅方向が前記連結軸と略平行に設けられた、抜型枠を挿入する溝を有しており、該溝は、その深さ方向が、前記軸部材の軸方向に対して非平行となるように形成されていることを特徴とする。
【考案の効果】
【００１５】
第１考案によれば、第一部材の第一連結部をブロックに連結し、前記第二部材の第二連結部を抜型枠に連結すれば、抜型枠をブロックに対して連結することができるので、抜型枠を安定して配置できる。また、連結軸周りに第一部材と第二部材とを相対的に回動させることができるので、ブロックと抜型枠の高さがズレていても、ブロックと抜型枠とを安定して連結できる。さらに、移動部材が軸部材の軸方向に沿って移動可能であるので、ブロックと抜型枠との距離を調整できる。また、移動部材が軸部材の軸周りに回動可能であるので、ブロックに第一連結部を連結した際に、抜型枠に第二連結部を連結する方向が軸部材の軸周りに回転していても、ブロックと抜型枠とを安定して連結できる。
第２考案によれば、抜型枠を溝に挿入した状態で抜型枠を安定して保持することができる。
【図面の簡単な説明】
【００１６】
【図１】本実施形態の抜型枠保持用器具１の概略説明図であり、（Ａ）は平面図であり、（Ｂ）は側面図であり、（Ｃ）は移動部材２２の概略側面図であり、（Ｄ）は移動部材２２の概略正面図である。
【図２】本実施形態の抜型枠保持用器具１の概略説明図であり、（Ａ）は斜視図であり、（Ｂ）は第一部材１０と第二部材２０と連結軸３０で回動した状態の斜視図である。
【図３】本実施形態の抜型枠保持用器具１を土留擁壁Ｗを形成する際に使用した状態の概略説明図である。
【図４】本実施形態の抜型枠保持用器具１を使用して土留擁壁Ｗを形成する作業の概略説明図である。
【図５】本実施形態の抜型枠保持用器具１を使用して土留擁壁Ｗを形成する作業の概略説明図である。
【図６】従来の土留擁壁Ｗを形成する作業の概略説明図である。
【図７】従来の土留擁壁Ｗを形成する作業の概略説明図である。
【考案を実施するための形態】
【００１７】
つぎに、本考案の実施形態を図面に基づき説明する。
本実施形態の抜型枠保持用器具は、ブロックを積み重ねて土留擁壁を形成する際に抜型枠をブロックに固定するために使用するものであり、抜型枠をブロックに安定して連結することができるようにしたことに特徴を有している。
【００１８】
なお、本実施形態の抜型枠保持用器具は、土留擁壁を形成する際にブロックに抜型枠を連結して所定の姿勢（例えば鉛直や斜面Ｓに平行に立てた状態等）に保持しておく以外にも、ブロックをコンクリートで固定する際に型枠を所定の姿勢に保持しておくために使用することができる。
【００１９】
以下では、土留擁壁を斜面に形成する際に、抜型枠をブロックに固定するために本実施形態の抜型枠保持用器具を使用する場合を代表として説明する。
【００２０】
＜抜型枠保持用器具１の使用例＞
まず、本実施形態の抜型枠保持用器具１の構造を説明する前に、本実施形態の抜型枠保持用器具１を使用して土留擁壁Ｗを形成する作業を簡単に説明する。
【００２１】
図４（Ａ）に示すように、土留擁壁Ｗを形成する斜面Ｓの前面に施工された基礎コンクリートＣ上に、斜面Ｓに沿って、斜面Ｓと間隔を空けた状態でブロックＢを配置し、ブロックＢと斜面Ｓの前面との間に抜型枠Ｔを配置する（図４（Ｂ））。この状態で、抜型枠保持用器具１の第一部材１０の第一連結部１１に連結する。そして、第二部材２０の軸部材２１の軸方向に沿って移動部材２２を移動し、移動部材２２の第二連結部２３を抜型枠Ｔの上端に連結する。その状態で移動部材２２を軸部材２１に固定すれば、ブロックＢと抜型枠Ｔとが抜型枠保持用器具１によって連結され、抜型枠Ｔが所定の位置に配置された状態で保持される（図４（Ｃ））。この状態で、抜型枠Ｔと斜面Ｓとの間に砕石を供給し、ブロックＢと抜型枠Ｔとの間にコンクリートを打設する（図４（Ｄ））。そして、コンクリートを打設したのち、抜型枠保持用器具１を取り外し、コンクリートが硬化した後（またはコンクリートが硬化する前）に抜型枠Ｔが引き抜かれれば、斜面Ｓの表面にはブロックＢによって第一段の壁ＢＷ１が形成される（図５（Ｅ））。
【００２２】
第一段の壁ＢＷ１が形成されると、第一段の壁ＢＷ１の上に、斜面Ｓと間隔を空けた状態で斜面Ｓに沿ってブロックＢを配置する（図５（Ｅ））。ついで、ブロックＢと斜面Ｓの前面との間に抜型枠Ｔを配置し、ブロックＢと抜型枠Ｔとを抜型枠保持用器具１によって連結すれば、抜型枠Ｔを所定の位置に配置した状態で保持される（図５（Ｆ））。その後、抜型枠Ｔと斜面Ｓの前面との間に砕石を供給し、ブロックＢと抜型枠Ｔとの間にコンクリートを打設する。そして、コンクリートを打設したのち、抜型枠保持用器具１を取り外し、コンクリートが硬化した後（またはコンクリートが硬化する前）に抜型枠Ｔが引き抜かれれば、コンクリートが硬化すれば、斜面Ｓの表面にはブロックＢによって第二段の壁ＢＷ２が形成される（図５（Ｇ））。
【００２３】
上記作業を繰り返し、所望の高さまでブロックＢが積み上げられると、擁壁Ｗが形成される（図３参照）。
【００２４】
＜抜型枠保持用器具１＞
図１および図２に示すように、抜型枠保持用器具１は、第一部材１０と、第二部材２０と、第一部材１０と第二部材２０とを回動可能に連結する連結軸３０と、を備えている。
【００２５】
＜第一部材１０＞
第一部材１０は、ブロックＢに連結される第一連結部１１を備えている。この第一連結部１１がブロックＢの角に連結されるものである。この第一連結部１１は、平面視で略半円形状の開口部分１１ｈを有するように棒材等によって形成された部材である。この第一連結部１１の開口部分１１ｈにブロックＢの角を引っ掛けることができるようになっている（図３参照）。例えば、第一連結部１１は、略Ｕ字状の部材１１ａと、略Ｕ字状の部材１１ａの端部間を連結する軸部材１１ｂと、から形成されている。そして、略Ｕ字状の部材１１ａのほぼ頂点に位置する部分には（図１および図２では右側の端部）、連結片１２が設けられている。この連結片１２には、開口部分１１ｈが形成する面とほぼ平行な軸を有する貫通孔が形成されている。
【００２６】
＜第二部材２０＞
第二部材２０は、断面円形の棒状の部材によって形成された軸部材２１が設けられている。この軸部材２１の第一端部（図１および図２では左側の端部）には、連結片２１ｐが設けられている。この連結片２１ｐには貫通孔が形成されている。
【００２７】
この軸部材２１には、軸部材２１の軸方向に沿って移動可能に移動部材２２が設けられている。この移動部材２２は、軸方向を貫通する貫通孔２２ｈを有する管状の部材である（図１（Ｃ）、（Ｄ）参照）。この移動部材２２の貫通孔２２ｈは、軸部材２１の断面と相似形に形成されており、その内径が軸部材２１の外径よりわずかに小さくなるように形成されている。例えば、軸部材２１の外径が１３ｍｍであれば、移動部材２２の貫通孔２２ｈの内径は１４ｍｍ程度となるように形成されている。なお、軸部材２１の外径と移動部材２２の貫通孔２２ｈの内径との関係は、軸部材２１に沿って移動部材２２が移動できるようになっていればよく、とくに限定されない。
【００２８】
この移動部材２２には、貫通孔２２ｈと外面との間を貫通する雌ネジ孔が形成されており、雌ネジ孔にはボルト等の固定部材２４が螺合している。したがって、固定部材２４を締め付ければ、固定部材２４の先端が軸部材２１の側面に押し付けられ、移動部材２２を軸部材２１に固定することができる。一方、固定部材２４を緩めれば、固定部材２４の先端が軸部材２１の側面から離間するので、移動部材２２を軸部材２１に対して移動できる状態にすることができる。つまり、移動部材２２を軸部材２１の軸方向に沿って移動させたり、軸部材２１の中心軸周りに移動部材２２を回転させたりすることができるようになる。
【００２９】
この移動部材２２の側面には、抜型枠Ｔの上端に連結される第二連結部２３が設けられている。この第二連結部２３は、板状の部材を曲げて側面視で略Ｕ字状に形成された部材であり、下方に開口を有する溝２３ｈを有している。この溝２３ｈは、移動部材２２を軸部材２１に取り付けた状態において、その深さ方向が軸部材２１の軸方向と非平行となるように設けられている。具体的には、溝２３ｈは、その深さ方向が、先端（開口）に向かうにしたがって第一部材１０に接近するように傾斜して設けられている。しかも、溝２３ｈは、移動部材２２を軸部材２１に取り付けた状態において、その幅方向、つまり、その深さ方向と直交する方向（図１（Ｄ）では左右方向）が連結片２１ｐには貫通孔の軸方向と平行になるように形成されている。
【００３０】
＜連結軸３０＞
連結軸３０は、第一部材１０と第二部材２０とを互いに回動可能（揺動可能）に連結する部材である。具体的には、連結軸３０は、第一部材１０の連結片１２の貫通孔と第二部材２０の軸部材２１の連結片２１ｐの貫通孔とを重ねた状態で、連結片１２の貫通孔と連結片２１ｐの貫通孔に挿通されている。したがって、連結軸３０の中心軸を支点として、第一部材１０の第一連結部１１と第二部材２０の軸部材２１とを相対的に回動させることができる。この連結軸３０は上記機能を有するものであればよく、とくに限定されない。例えば、図１および図２に示すように、ボルトを連結軸３０として使用することができる。ボルトを連結軸３０として使用すれば、連結片１２の貫通孔と連結片２１ｐの貫通孔にボルトを挿通しナットを螺合すれば、第一部材１０と第二部材２０とを、互いに回動可能に連結することができるし、両者を分離することも可能になる。第一部材１０と第二部材２０とを分離できれば、一方が破損した場合に破損した部材を交換すれば他方はそのまま使用することができるし、分離すれば保管もしやすくなる。
【００３１】
以上のような構造を有するので、ブロックＢの角を第一部材１０の第一連結部１１の開口１１ｈに引っ掛けて、第二部材２０の第二連結部２３の溝２３ｈに抜型枠Ｔの上端を挿入すれば、本実施形態の抜型枠保持用器具１によって抜型枠ＴをブロックＢに連結でき、抜型枠Ｔを安定した状態で保持できる。
【００３２】
また、連結軸３０によって第一部材１０と第二部材２０とが互いに回動可能であるので、ブロックＢと抜型枠Ｔの高さがズレていても、本実施形態の抜型枠保持用器具１によってブロックＢと抜型枠Ｔとを安定して連結できる。
【００３３】
さらに、第二部材２０の移動部材２２を軸部材２１に沿って移動させれば、ブロックＢの角と抜型枠Ｔとの距離が変化しても、その距離に合わせて、第一連結部１１から連結部２３までの距離を変更できる。したがって、ブロックＢの大きさや抜型枠Ｔの配置状態が異なっていても、本実施形態の抜型枠保持用器具１によってブロックＢと抜型枠Ｔとを安定して連結できる。
【００３４】
そして、第二部材２０の移動部材２２が軸部材２１周りに回転できるので、第一連結部１１の開口部分１１ｈが形成する面と、第二連結部２３の溝２３ｈの深さ方向の相対的な位置を調整できる。すると、ブロックＢの角と第一連結部１１の開口部分１１ｈとの引っ掛かり状態が変化しても、ブロックＢと抜型枠Ｔとを安定して連結できる。
【００３５】
例えば、本実施形態の抜型枠保持用器具１において、第一連結部１１の開口部分１１ｈが形成する面と第二連結部２３の溝２３ｈの深さ方向とが直交した状態で固定されているとする（図１（Ｂ）参照）。この場合、抜型枠Ｔの上端縁がほぼ水平になっており、開口部分１１ｈが形成する面が水平になるようにブロックＢの角に第一連結部１１が引っ掛けることができる場合であれば、溝２３ｈの深さ方向が抜型枠Ｔの上端縁と直交するように第二連結部２３を抜型枠Ｔの上端に挿入することができる。すると、ブロックＢと抜型枠Ｔと本実施形態の抜型枠保持用器具１によって安定して連結することができる。一方、ブロックＢの角に第一連結部１１の開口部分１１ｈを引っ掛けると開口部分１１ｈが形成する面が水平に対して傾いてしまうような場合、溝２３ｈの深さ方向は抜型枠Ｔの上端縁に対して傾斜した状態になる。つまり、抜型枠Ｔの上端縁と溝２３ｈの深さ方向とのなす角度が９０°よりも小さくなる。すると、第二連結部２３を抜型枠Ｔの上端に安定して引っ掛けることができなくなり、本実施形態の抜型枠保持用器具１によるブロックＢと抜型枠Ｔとの連結が不安定になる可能性がある。
【００３６】
しかし、本実施形態の抜型枠保持用器具１であれば、第二部材２０の移動部材２２が軸部材２１周りに回転できるので、抜型枠Ｔの上端縁と溝２３ｈの深さ方向とがなす角度を自由に調整できる。つまり、ブロックＢの角と第一連結部１１の開口部分１１ｈとの引っ掛かり状態に係らず、溝２３ｈの深さ方向を抜型枠Ｔの上端縁に対して直交した状態とすることができる。したがって、ブロックＢの角と第一連結部１１の開口部分１１ｈとの引っ掛かり状態に係らず、第二連結部２３を抜型枠Ｔの上端に安定して引っ掛けることができるので、ブロックＢと抜型枠Ｔとを安定して連結できる。
【００３７】
なお、第二連結部２３を抜型枠Ｔの上端に安定して引っ掛けることができる角度は、両者が直交する場合に限られない。抜型枠Ｔの姿勢に応じて適切な角度があるが、本実施形態の抜型枠保持用器具１であれば、どのような角度でも対応することができる。
【００３８】
＜第一部材１０の第一連結部１１について＞
第一連結部１１の形状は、ブロックＢの角を引っ掛けることができるようになっていればよく、上述した形状に限定されない。第一連結部１１の開口部分１１ｈの形状は、四角形でも円形でもよい。しかし、第一連結部１１を上述した形状とすれば、ブロックＢの角を引っ掛けた際に、軸部材１１ｂをブロックＢの角の表面に接触した状態としやすくなるので、ブロックＢの角に第一連結部１１を安定して連結しやすくなる。また、第一連結部１１が軸部材１１ｂを有していれば、作業者が本実施形態の抜型枠保持用器具１を持ちやすくなるので、本実施形態の抜型枠保持用器具１の持ち運びや取り扱い性が良くなる。
【００３９】
＜第二部材２０の移動部材２２について＞
移動部材２２は、軸部材２１の軸方向に沿って移動でき、軸部材２１に対して回転させることができるのであれば、その形状や構造はとくに限定されない。例えば、移動部材２２は断面Ｃ字状であってもよいし、断面が多角形の管状部材であってもよい。また、軸部材２１を囲む（または挟む）ように複数枚（例えば２枚）の板を連結して移動部材２２としてもよい。
【００４０】
＜第二部材２０の第二連結部２３について＞
第二連結部２３は、抜型枠Ｔの上端に連結できるようになっていればよく、その構造や形状はとくに限定されない。例えば、棒状の部材を曲げて第二連結部２３を形成してもよいし、板材などに溝を形成して第二連結部２３としてもよい。また、第二連結部２３として、クリップのように抜型枠Ｔの上端を挟んで保持することができるものを採用してもよい。
【００４１】
第二連結部２３の溝２３ｈの深さ方向が軸部材２１の軸方向となす角度はとくに限定されない。溝２３ｈの深さ方向を、軸部材２１の軸方向と直交させてもよい。上述したように、溝２３ｈの深さ方向が先端（開口）に向かうにしたがって第一部材１０に接近するように傾斜していれば（図１（Ｂ）、（Ｃ）参照）、水平に対して傾斜した状態（例えば、斜面Ｓと平行）に配置される抜型枠Ｔを本実施形態の抜型枠保持用器具１によって保持しやすくなる。
【産業上の利用可能性】
【００４２】
本考案の抜型枠保持用器具は、土留擁壁を形成する際やブロックをコンクリートで固定する際に型枠を所定の姿勢に保持しておく器具に適している。
【符号の説明】
【００４３】
１      抜型枠保持用器具
１０      第一部材
１１      第一連結部
１１ｈ    開口部分
２０      第二部材
２１      軸部材
２２      移動部材
２３      第二連結部
２３ｈ    溝
２４      固定部材
３０      連結軸
Ｂ      ブロック
Ｔ      抜型枠
Ｓ      斜面
【図１】
0003227867.tif 000003
【図２】
0003227867.tif 000004
【図３】
0003227867.tif 000005
【図４】
0003227867.tif 000006
【図５】
0003227867.tif 000007
【図６】
0003227867.tif 000008
【図７】
0003227867.tif 000009